(57)【要約】【課題】煩雑な操作を要せずに、先行テープの後端部と後続テープの先端部を確実に連続的に接続することができるテープ接続装置及びテープ接続方法を提供すること。【解決手段】第一テープ２が巻き付けられた第一テープ巻き付けリール１と第二テープ４が巻き付けられた第二テープ巻き付けリール３を有する。テープ送給経路上において、第一保持金具９に保持された第一テープ２の先端部と第三保持金具１３に保持された第二テープ４の後端部又は第二保持金具１１に保持された第二テープ４の先端部と第三保持金具１３に保持された第一テープ２の後端部を継ぎテープ巻き付けリールから供給される継ぎテープで接続する。【選択図】図１
2019099366.tif 000002
【特許請求の範囲】
【請求項１】
第一テープが巻き付けられた第一テープ巻き付けリールと第二テープが巻き付けられた第二テープ巻き付けリールとを有し、第一テープ巻き付けリールから送給される第一テープと第二テープ巻き付けリールから送給される第二テープを接続してテープ送給経路を経てテープを連続的に送給するためのテープ接続装置であって、第一テープを保持することが可能な第一保持金具と第二テープを保持することが可能な第二保持金具とを有する旋回板と、継ぎテープが巻き付けられた継ぎテープ巻き付けリールと、第一テープ又は第二テープを保持することが可能で上記テープ送給経路に沿って移動することが可能な第三保持金具を備え、上記旋回板が旋回支点を中心として旋回することにより第一保持金具に保持された第一テープ又は第二保持金具に保持された第二テープをテープ送給経路に配置することが可能であり、テープ送給経路上において、第一保持金具に保持された第一テープの先端部と第三保持金具に保持された第二テープの後端部又は第二保持金具に保持された第二テープの先端部と第三保持金具に保持された第一テープの後端部を継ぎテープ巻き付けリールから供給される継ぎテープで接続することを特徴とするテープ接続装置。
【請求項２】
第一保持金具、第二保持金具または第三保持金具は、それぞれ吸気手段に接続されていることを特徴とする請求項１記載のテープ接続装置。
【請求項３】
継ぎテープ巻き付けリールは継ぎテープをテープ送給経路に供給するために、継ぎテープクランプシリンダと、継ぎテープ送りシリンダと、吸気手段に接続された継ぎテープ保持金具と、当該継ぎテープ保持金具の昇降シリンダと、上記継ぎテープ保持金具に保持された継ぎテープを切断するための継ぎテープカッターを有することを特徴とする請求項１又は２記載のテープ接続装置。
【請求項４】
第一テープの後端部及び第二テープの後端部に付されたエンドマークを感知することが可能なセンサを有することを特徴とする請求項１ないし３のいずれか１項記載のテープ接続装置。
【請求項５】
第三保持金具に後続して、ストックされたテープを送り出すことが可能なテープストック装置をテープ送給経路上に有することを特徴とする請求項１ないし４のいずれか１項記載のテープ接続装置。
【請求項６】
第一テープ又は第二テープの後端部を切断するために水平方向及び垂直方向に移動することが可能なテープカッターを有することを特徴とする請求項１ないし５のいずれか１項記載のテープ接続装置。
【請求項７】
第一テープが巻き付けられた第一テープ巻き付けリールと第二テープが巻き付けられた第二テープ巻き付けリールを有し、第一テープ巻き付けリールから送給される第一テープと第二テープ巻き付けリールから送給される第二テープを接続してテープ送給経路を経てテープを連続的に送給するためのテープ接続方法であって、第一テープを保持することが可能な第一保持金具と第二テープを保持することが可能な第二保持金具とを有する旋回板と、継ぎテープが巻き付けられた継ぎテープ巻き付けリールと、第一テープ又は第二テープを保持することが可能で上記テープ送給経路に沿って移動することが可能な第三保持金具を備え、上記旋回板が旋回支点を中心として旋回することにより第一保持金具に保持された第一テープ又は第二保持金具に保持された第二テープをテープ送給経路に配置し、テープ送給経路上において、第一保持金具に保持された第一テープの先端部と第三保持金具に保持された第二テープの後端部又は第二保持金具に保持された第二テープの先端部と第三保持金具に保持された第一テープの後端部を継ぎテープ巻き付けリールから供給される継ぎテープで接続することを特徴とするテープ接続方法。
【発明の詳細な説明】
【技術分野】
【０００１】
本発明は、先行テープの後端部と後続テープの先端部を接続するために用いられるテープ接続装置及びテープ接続方法に関するものである。
【背景技術】
【０００２】
この種の装置としては、例えば、特許文献１に開示されているように、２つのテープの接続予定箇所を相対させた状態に保持する保持手段と、同接続予定箇所を挟んでその一方の側に配置されかつ受圧面を有している受圧部材と、同接続予定箇所を挟んでその他方の側に配置されかつ受圧面と相対する加熱面および溶断刃をそれぞれ有している加熱部材と、加熱部材が取付けられかつ受圧面に同接続予定箇所を介して加熱面および溶断刃を押圧しうるように受圧部材に対して接近・離隔しうる方向に移動自在に配されている移動体とを備えているものが知られている。
【先行技術文献】
【特許文献】
【０００３】
【特許文献１】特開平４−１０６０６０号公報
【発明の概要】
【発明が解決しようとする課題】
【０００４】
上記従来装置において、加熱部材の加熱不足であると、テープの溶融不足となってテープが溶断されず、溶断不良が生じることがあり、これとは逆に、加熱部材の加熱過剰であると、テープの溶融過剰となって、一端溶断されたテープが再融着されることがあった。そのため、加熱部材の温度管理が非常に困難であった。
【０００５】
本発明は従来の技術の有するこのような問題点に鑑みてなされたものであって、その目的は、煩雑な操作を要せずに、先行テープの後端部と後続テープの先端部を確実に連続的に接続することができるテープ接続装置及びテープ接続方法を提供することにある。
【課題を解決するための手段】
【０００６】
上記課題を解決するために、本発明のテープ接続装置は、第一テープが巻き付けられた第一テープ巻き付けリールと第二テープが巻き付けられた第二テープ巻き付けリールを有し、第一テープ巻き付けリールから送給される第一テープと第二テープ巻き付けリールから送給される第二テープを接続してテープ送給経路を経てテープを連続的に送給するためのテープ接続装置であって、第一テープを保持することが可能な第一保持金具と第二テープを保持することが可能な第二保持金具とを有する旋回板と、継ぎテープが巻き付けられた継ぎテープ巻き付けリールと、第一テープ又は第二テープを保持することが可能で上記テープ送給経路に沿って移動することが可能な第三保持金具を備え、上記旋回板が旋回支点を中心として旋回することにより第一保持金具に保持された第一テープ又は第二保持金具に保持された第二テープをテープ送給経路に配置することが可能であり、テープ送給経路上において、第一保持金具に保持された第一テープの先端部と第三保持金具に保持された第二テープの後端部又は第二保持金具に保持された第二テープの先端部と第三保持金具に保持された第一テープの後端部を継ぎテープ巻き付けリールから供給される継ぎテープで接続することを特徴としている。
【０００７】
本発明のテープ接続方法は、第一テープが巻き付けられた第一テープ巻き付けリールと第二テープが巻き付けられた第二テープ巻き付けリールを有し、第一テープ巻き付けリールから送給される第一テープと第二テープ巻き付けリールから送給される第二テープを接続してテープ送給経路を経てテープを連続的に送給するためのテープ接続方法であって、第一テープを保持することが可能な第一保持金具と第二テープを保持することが可能な第二保持金具とを有する旋回板と、継ぎテープが巻き付けられた継ぎテープ巻き付けリールと、第一テープ又は第二テープを保持することが可能で上記テープ送給経路に沿って移動することが可能な第三保持金具を備え、上記旋回板が旋回支点を中心として旋回することにより第一保持金具に保持された第一テープ又は第二保持金具に保持された第二テープをテープ送給経路に配置し、テープ送給経路上において、第一保持金具に保持された第一テープの先端部と第三保持金具に保持された第二テープの後端部又は第二保持金具に保持された第二テープの先端部と第三保持金具に保持された第一テープの後端部を継ぎテープ巻き付けリールから供給される継ぎテープで接続することを特徴としている。
【０００８】
第一保持金具、第二保持金具または第三保持金具は、それぞれ吸気手段に接続されており、当該吸気手段との接続を維持又は遮断することにより、第一テープもしくは第二テープを吸着保持するか又は解放することが好ましい。
【０００９】
継ぎテープ巻き付けリールは継ぎテープをテープ送給経路に供給するために、継ぎテープクランプシリンダと、継ぎテープ送りシリンダと、吸気手段に接続された継ぎテープ保持金具と、当該継ぎテープ保持金具の昇降シリンダと、上記継ぎテープ保持金具に保持された継ぎテープを切断するための継ぎテープカッターを有することが好ましい。
【００１０】
第一テープ巻き付リールに巻き付けられた第一テープの後端部及び第二テープ巻き付けリールに巻き付けられた第二テープの後端部にエンドマークを付し、当該エンドマークを感知することが可能なセンサを第一テープ巻き付けリールと第二テープ巻き付けリールの近傍に配置することが好ましい。
【００１１】
第三保持金具に後続して、ストックされたテープを送り出すことが可能なテープストック装置を、テープ送給経路上に有することが好ましい。
【００１２】
第一テープ又は第二テープの後端部を切断するために水平方向及び垂直方向に移動することが可能なテープカッターを有することが好ましい。  
【発明の効果】
【００１３】
本発明によれば、第一テープを保持することが可能な第一保持金具と第二テープを保持することが可能な第二保持金具を有する旋回板と、継ぎテープが巻き付けられた継ぎテープ巻き付けリールと、第一テープ又は第二テープを保持することが可能でテープ送給経路に沿って移動することが可能な第三保持金具を備え、上記旋回板が旋回支点を中心として旋回することにより第一保持金具に保持された第一テープ又は第二保持金具に保持された第二テープをテープ送給経路に配置することが可能であるから、テープ送給経路上において、第一保持金具に保持された第一テープの先端部と第三保持金具に保持された第二テープの後端部又は第二保持金具に保持された第二テープの先端部と第三保持金具に保持された第一テープの後端部を継ぎテープ巻き付けリールから供給される継ぎテープで接続することにより、先行テープの後端部と後続テープの先端部を確実に接続することができる。
【００１４】
第一保持金具、第二保持金具または第三保持金具が、それぞれ吸気手段に接続されておれば、当該吸気手段との接続を維持又は遮断することにより、第一テープもしくは第二テープの吸着保持又は解放を瞬時に行うことができる。
【００１５】
継ぎテープクランプシリンダと、継ぎテープ送りシリンダと、吸気手段に接続された継ぎテープ保持金具と、当該継ぎテープ保持金具の昇降シリンダと、上記継ぎテープ保持金具に保持された継ぎテープを切断するための継ぎテープカッターを有することにより、継ぎテープ巻き付けリールは、継ぎテープを確実にテープ送給経路に供給することができる。
【００１６】
第一テープ巻き付けリールに巻き付けられた第一テープの後端部及び第二テープ巻き付けリールに巻き付けられた第二テープの後端部にエンドマークを付し、当該エンドマークを感知することが可能なセンサを第一テープ巻き付けリールと第二テープ巻き付けリールの近傍に配置することにより、第一テープ及び第二テープの後端部を確実に認識することができる。
【００１７】
第三保持金具に後続して、ストックされたテープを送り出すことが可能なテープストック装置を、テープ送給経路上に有することにより、テープの送給を停止することなく、連続的にテープを接続する作業を行うことができる。
【００１８】
第一テープ又は第二テープの後端部を切断するために水平方向及び垂直方向に移動することが可能なテープカッターを有することにより、テープ接続のために必要な時間を節約することができる。
【図面の簡単な説明】
【００１９】
【図１】図１は、本発明のテープ接続装置の概略構成図である。
【図２】図２は、本発明のテープ接続装置により、第一テープの先端部と第二テープの後端部を接続する方法を、工程順に説明するための図である。
【図３】図３は、継ぎテープ巻き付けリール及びその付属設備を示す概略構成図である。
【発明を実施するための形態】
【００２０】
以下に、本発明の実施が可能な形態について説明する。当然のことながら、本発明の範囲を逸脱することなく、他の実施形態を利用することもできる。
【００２１】
図１において、１は第一テープ２が巻き付けられた第一テープ巻き付けリール、３は第二テープ４が巻き付けられた第二テープ巻き付けリールである。第一テープ２の後端部及び第二テープ４の後端部にはエンドマーク（図示せず）が付されており、センサ５は第一テープ２の後端部に付されたエンドマークを感知することが可能であり、センサ６は第二テープ４の後端部に付されたエンドマークを感知することが可能である。センサ５が第一テープ２の後端部に付されたエンドマークを感知することで、第一テープ巻き付けリール１の回転が停止されて、第一テープ２の送給が停止されるように構成されており、センサ６が第二テープ４の後端部に付されたエンドマークを感知することで、第二テープ巻き付けリール３の回転が停止されて、第二テープ４の送給が停止されるように構成されている。
【００２２】
第一テープ巻き付けリール１から送給される第一テープ２は、デフレクターロール７、デフレクターロール８を経て第一保持金具９に至る。第一保持金具９は、大気圧より低い圧力にすることができる吸気手段（図示せず）に接続されており、第一テープ２の先端部は上記の吸気手段の吸引力により第一保持金具９に吸着保持されている。第二テープ巻き付けリール３から送給される第二テープ４は、デフレクターロール８ａ、デフレクターロール１０を経て第二保持金具１１に至る。第二保持金具１１は、大気圧より低い圧力にすることができる吸気手段（図示せず）に接続されているが、現在は、第二テープ４がテープ送給経路１２を経て連続的に送給されているので、第二保持金具１１と上記の吸気手段との接続は遮断されており、第二テープ４は第二保持金具１１に吸着保持されていない。
【００２３】
１３は第三保持金具であり、第三保持金具１３は、大気圧より低い圧力にすることができる吸気手段（図示せず）に接続されているが、現在は、第二テープ４がテープ送給経路１２を経て連続的に送給されているので、第三保持金具１３と上記の吸気手段との接続は遮断されており、第二テープ４は第三保持金具１３に吸着保持されていない。第三保持金具１３は、空圧シリンダ１４によりテープ送給経路１２に沿って水平方向に移動することが可能である。
【００２４】
第三保持金具１３に後続して、デフレクターロール１５ａ、１５ｂ、１６、フリーロール１７、デフレクターロール１８が設置されている。フリーロール１７はデフレクターロール１６と１８のあいだを昇降することが可能で、デフレクターロール１６からフリーロール１７を経てデフレクターロール１８に至る経路にあるテープの長さがテープストック量である。このストックテープをテープ送給経路上に有することにより、テープの送給を停止することなく、連続的にテープを接続することができる。
【００２５】
第一保持金具９と第二保持金具１１は旋回板１９に取り付けられている。２０は旋回支点である。空圧シリンダ２１のロッド２２が昇降することにより、旋回支点２０とロッド２２を接続するアーム２３が２３'とのあいだを揺動することで、旋回板１９は旋回支点２０を中心として旋回することが可能である。
【００２６】
次に、図２に基づいて、第一テープの先端部と第二テープの後端部を接続する方法を、工程順に説明する。
【００２７】
《第二テープ４の後端部の感知》
図２（ａ）は、図１に示す第二テープ４の後端部に付されたエンドマークがセンサ６で感知されて、第二テープ巻き付けリール３の回転が停止されて第二テープ４の送給が停止され、第二テープ４の後端部が上記の吸気手段の吸引力により第二保持金具１１と第三保持金具１３に吸着保持されている状態を示している。図１に示すフリーロール１７は、センサ５による第一テープ２の後端部に付されたエンドマークの感知又はセンサ６による第二テープ４の後端部に付されたエンドマークの感知と連動して昇降するように構成されている。
【００２８】
《第二テープ４の後端部の切断》
図２（ｂ）は、図示しない昇降機構及び前進・後退機構により垂直方向および水平方向への移動が自在であるテープカッター２４が水平方向に所定距離前進し、垂直方向に所定距離上昇し、水平方向に所定距離後退し、垂直方向に所定距離下降することにより、第二テープ巻き付けリール３から送給される第二テープ４の後端部が切断される状態を示している。
【００２９】
《第三保持金具１３の離間》
図２（ｃ）は、テープカッター２４を垂直方向に所定距離下降させて、第三保持金具１３を図１に示す空圧シリンダ１４によりテープ送給経路に沿って水平方向に移動させることにより、第三保持金具１３を第二保持金具１１から離間させた状態を示している。
【００３０】
《旋回板の旋回》
図２（ｄ）は、図１に示す空圧シリンダ２１のロッド２２が上昇して、旋回板１９が旋回支点２０を中心として旋回することによって、第二保持金具１１に保持された第二テープ４に代わって、第一保持金具９に保持された第二テープ２がテープ送給経路上にある状態を示している。
【００３１】
《第一保持金具９と第三保持金具１３の当接状態》
図２（ｅ）は、第三保持金具１３を図１に示す空圧シリンダ１４によりテープ送給経路に沿って水平方向に移動させることにより、第一保持金具９と第三保持金具１３を当接するようにした状態を示している。
【００３２】
《第一テープ２の先端部と第二テープ４の後端部の接続》
図２（ｆ）は、図２（ｅ）に示すテープカッター２４を水平方向に所定距離前進させることにより、テープカッター２４を第一保持金具９と第三保持金具１３の当接部の下方から退避させ、図３に示す継ぎテープ巻き付けリール及びその付属設備によって、第一テープ２の先端部と第二テープ４の後端部を接続する状態を示している。
【００３３】
《継ぎテープ巻き付けリール及びその付属設備》
図３において、３０は継ぎテープ３１が巻き付けられた継ぎテープ巻き付けリールである。３２は継ぎテープクランプシリンダ、３３は継ぎテープ送りシリンダ、３４は継ぎテープ保持金具、３５は継ぎテープ保持金具の昇降シリンダ、３６は継ぎテープカッター、３７は昇降シリンダ３５のロッドである。また、継ぎテープ保持金具３４は、大気圧より低い圧力にすることができる吸気手段（図示せず）に接続されている。昇降シリンダ３５のロッド３７を僅かに上昇させることにより、継ぎテープ３１から僅かに離れた位置に固定されている継ぎテープカッター３６で、継ぎテープ保持金具３４上にある継ぎテープ３１を切断することが可能である。なお、継ぎテープ３１の上面側には適量の接着剤が塗布されている。図３に示す継ぎテープ巻き付けリール及びその付属設備は、図２の紙面に対して手前側（紙面上）にある。
【００３４】
《継ぎテープ保持金具３４による継ぎテープ３１の保持》
図３において、継ぎテープクランプシリンダ３２で継ぎテープ３１をクランプし、継ぎテープクランプシリンダ３２を継ぎテープ送りシリンダ３３により前進させて、所定長さの継ぎテープ３１を継ぎテープ保持金具３４上に配置する。このとき、継ぎテープ保持金具３４は上記の吸気手段に接続されているので、この吸気手段の吸引力により継ぎテープ保持金具３４上の継ぎテープ３１は継ぎテープ保持金具３４に吸着保持される。そして、継ぎテープクランプシリンダ３２をアンクランプ状態として、継ぎテープ送りシリンダ３３により継ぎテープクランプシリンダ３２を後退させる。次に、昇降シリンダ３５のロッド３７を僅かに上昇させることにより、継ぎテープ３１から僅かに離れた位置に固定されている継ぎテープカッター３６で、継ぎテープ保持金具３４上にある継ぎテープ３１を切断する。
【００３５】
《継ぎテープ３１による接続》
昇降シリンダ３５のロッド３７を上昇させて、継ぎテープ保持金具３４に吸着保持されている継ぎテープ３１を第一テープ２の先端部と第二テープ４の後端部に当接させる。継ぎテープ３１の上面側には適量の接着剤が塗布されているので、図２（ｆ）に示すように、第一テープ２の先端部と第二テープ４の後端部を接続することができる。そして、継ぎテープ保持金具３４と吸気手段の接続を遮断し、昇降シリンダ３５のロッド３７を下降させて、図１に示す第一テープ巻き付けリール１の回転を再開させて第一テープ２の送給を再開する。
以上の記載では、第一テープ２の先端部と第二テープ４の後端部を継ぎテープ３１で接続する場合について説明したが、第二テープ４の先端部と第一テープ２の後端部も継ぎテープ３１を用いて同じように接続することができるので、重複説明を避けるために、その接続方法の説明は省略する。
【００３６】
図２（ａ）に示す第二テープ４の送給停止から図２（ｆ）に示す第一テープ２の送給開始に至るまでは、第一テープ巻き付けリール１及び第二テープ巻き付けリール３のいずれからもテープは送給されない。このあいだも設備を停止させないようにするために、段落００２４で説明したテープストック装置が設置されている。
【産業上の利用可能性】
【００３７】
本発明は、各種テープを接続するための装置として有用である。
【符号の説明】
【００３８】
１    第一テープ巻き付けリール  
２    第一テープ
３    第二テープ巻き付けリール
４    第二テープ
５    センサ
６    センサ
７    デフレクターロール
８    デフレクターロール
８ａ  デフレクターロール
９    第一保持金具
１０  デフレクターロール
１１  第二保持金具
１２  テープ送給経路
１３  第三保持金具
１４  空圧シリンダ
１５ａ、１５ｂ  デフレクターロール
１６  デフレクターロール
１７  フリーロール
１８  デフレクターロール
１９  旋回板
２０  旋回支点
２１  空圧シリンダ
２２  ロッド
２３  アーム
２４  テープカッター
３０  継ぎテープ巻き付けリール
３１  継ぎテープ
３２  継ぎテープクランプシリンダ
３３  継ぎテープ送りシリンダ
３４  継ぎテープ保持金具
３５  昇降シリンダ
３６  継ぎテープカッター
３７  ロッド
【図１】
2019099366.tif 000003
【図２】
2019099366.tif 000004
【図３】
2019099366.tif 000005